(57)【要約】【課題】  鍵盤楽器のコンパクト化を図り、演奏部の後ろ側に配置される構成部品のレイアウトの自由度を高めることができるとともに、鍵盤蓋の開閉を容易に行うことができる鍵盤楽器の鍵盤蓋装置を提供する。【解決手段】  鍵盤６を含む演奏部３を開閉する鍵盤楽器１の鍵盤蓋装置４であって、演奏部３の両側に配置された左右の腕木１５，１５と、互いに回動自在に連結された複数の板材２６，２７を有し、左右の腕木１５，１５に、前側の閉鎖位置と後ろ側の開放位置との間で前後方向にスライド自在に取り付けられ、閉鎖位置では、複数の板材２６，２７が前後方向に並んだ、展開された状態で、演奏部３を閉鎖するとともに、開放位置では、複数の板材２６，２７が演奏部３の後端部の上方において折り畳まれた状態で、演奏部３を開放する鍵盤蓋１６と、を備える。【選択図】  図２
2007133249.tif 000002
【特許請求の範囲】
【請求項１】
鍵盤を含む演奏部を開閉する鍵盤楽器の鍵盤蓋装置であって、
前記演奏部の両側に配置された左右の腕木と、
互いに回動自在に連結された複数の板材を有し、前記左右の腕木に、前側の閉鎖位置と後ろ側の開放位置との間で前後方向にスライド自在に取り付けられ、前記閉鎖位置では、前記複数の板材が前後方向に並んだ、展開された状態で、前記演奏部を閉鎖するとともに、前記開放位置では、前記複数の板材が前記演奏部の後端部の上方において折り畳まれた状態で、前記演奏部を開放する鍵盤蓋と、
を備えていることを特徴とする鍵盤楽器の鍵盤蓋装置。
【請求項２】
前記複数の板材の各々の左右の側面には突起が設けられており、前記左右の腕木には、前記突起が係合し、当該突起を介して前記鍵盤蓋を案内するための案内溝が、前後方向に延びるように形成されていることを特徴とする、請求項１に記載の鍵盤楽器の鍵盤蓋装置。
【請求項３】
前記複数の板材のうちの最も後ろ側に配置された最後位の板材は、前記鍵盤蓋を後方にスライドさせたときに、前記突起が前記案内溝の後縁に当接することによって、所定の角度、回転するように構成されていることを特徴とする、請求項２に記載の鍵盤楽器の鍵盤蓋装置。
【請求項４】
前記最後位の板材は、基部と、当該基部の一端から垂直に延び、前記鍵盤蓋が前記閉鎖位置に位置するときに直立する直立部とから成る断面Ｌ形に形成されていることを特徴とする、請求項３に記載の鍵盤楽器の鍵盤蓋装置。
【請求項５】
前記複数の板材の各々は中空であることを特徴とする、請求項１ないし４のいずれかに記載の鍵盤楽器の鍵盤蓋装置。
【発明の詳細な説明】
【技術分野】
【０００１】
本発明は、鍵盤を含む演奏部をスライド式の鍵盤蓋によって開閉する鍵盤楽器の鍵盤蓋装置に関する。
【背景技術】
【０００２】
従来のこの種の鍵盤蓋装置を備えた電子ピアノとして、例えば特許文献１に開示されたものが知られている。この電子ピアノは、棚板上に設けられた、鍵盤やコントロールパネルを含む演奏部と、演奏部の両側に配置された左右の腕木と、両腕木の上面後半部間に水平に取り付けられた屋根と、両腕木に前後方向にスライド自在に取り付けられ、演奏部を開閉する鍵盤蓋を備えている。棚板のコントロールパネルよりも後ろ側には、押鍵時にハンマーを回動させるためのアクションが設けられている。また、棚板は、その前端部において、両腕木に水平軸線回りに回動自在に取り付けられている。
【０００３】
左右の腕木の後端部下側に設けられた背板の前面には、上下のストッパが取り付けられている。上ストッパは、前方に突出する突出位置と、下方に垂下する退避位置との間で、回動自在に設けられており、突出位置と退避位置との切り換えは、電子ピアノの前面に設けられたスイッチによって行われる。
【０００４】
鍵盤蓋は、１枚の板で構成されており、その左右の側面の前端部および後端部には、左右の前軸および後軸が側方に突出するように設けられている。一方、左右の腕木の内側面の前半部および後半部には、前後方向に延びる前案内溝および後案内溝が形成されている。これらの前後の案内溝に鍵盤蓋の前後の軸がそれぞれ係合しており、それにより、鍵盤蓋は、その前後の軸および案内溝によって案内されることにより、前後方向にスライドし、演奏部を開閉する。
【０００５】
この電子ピアノでは、演奏を行う際、棚板は、その後端部が突出位置に位置する上ストッパに載置されることにより、水平に保持されるとともに、鍵盤蓋は、後方にスライドされ、屋根の下側に収納されている。この状態から鍵盤蓋を閉鎖する場合には、まず、スイッチにより上ストッパを退避位置に回動させることによって、棚板を下方に回動させ、下ストッパに載せることにより、棚板を斜め後ろ下がりの状態にする。次いで、鍵盤蓋を前方にスライドさせ、演奏部を閉鎖する。この場合、コントロールパネルやアクションが棚板と一緒に下側に移動しているので、鍵盤蓋がコントロールパネルなどに接触することがない。このため、コントロールパネルなどの下降分だけ、前後の案内溝を下側に配置することにより、腕木の高さを低くし、電子ピアノをコンパクト化することが可能である。閉鎖状態から鍵盤蓋を開放する場合には、鍵盤蓋を後方にスライドさせ、次いで、棚板を手動で上方に回動させた後、上ストッパを突出位置に回動させ、その上に棚板を載せる。
【０００６】
しかし、この鍵盤蓋装置では、鍵盤蓋の開放時に、鍵盤蓋が屋根の下側に収納されるので、そのための空間を屋根の下側に確保しなければならず、その分、腕木の高さおよび奥行が大きくなってしまう。同じ理由により、屋根と棚板の間に配置されるアクションなどのレイアウトの自由度が低下する。また、屋根と棚板の間に電気回路が配置される場合には、演奏時に、電気回路がその上方に収納された鍵盤蓋で覆われるので、電気回路で発生した熱が逃げにくくなり、放熱を効果的に行うことができない。また、演奏部を閉鎖状態と演奏状態との間で切り換えるために、鍵盤蓋をスライドさせるだけでなく、棚板を手動で回動させたり、スイッチを押したりしなければならず、それらの操作が非常に煩雑である。
【０００７】
また、主に電子オルガンに適用される従来の他の鍵盤蓋装置として、蛇腹状の鍵盤蓋をスライドさせるタイプのものが知られている。この鍵盤蓋は、左右方向に延びる複数の板材で構成されている。複数の板材は、互いに回動自在に連結され、折り曲げ可能に構成されている。左右の腕木の後ろ側には、裏板が設けられており、それらの内側面には、腕木から裏板にわたって案内溝が連続的に形成されている。案内溝は、腕木の部分では斜め後ろ上がりに延び、裏板の部分では、上下方向に延びている。鍵盤蓋は、左右の案内溝に係合しており、この案内溝に沿ってスライドすることにより、演奏部を開閉する。しかし、この鍵盤蓋装置では、鍵盤蓋を閉鎖する場合には、裏板側に収納された鍵盤蓋を重力に抗して案内溝に沿って大きな操作力で引き上げなければならず、鍵盤蓋を容易に閉鎖できないという問題がある。
【０００８】
本発明は、上記の課題を解決するためになされたものであり、鍵盤楽器のコンパクト化を図り、演奏部の後ろ側に配置される構成部品のレイアウトの自由度を高めることができるとともに、鍵盤蓋の開閉を容易に行うことができる鍵盤楽器の鍵盤蓋装置を提供することを目的とする。
【０００９】
【特許文献１】特開２０００−３３０５６６号公報
【発明の開示】
【課題を解決するための手段】
【００１０】
この目的を達成するため、請求項１に係る発明は、鍵盤を含む演奏部を開閉する鍵盤楽器の鍵盤蓋装置であって、演奏部の両側に配置された左右の腕木と、互いに回動自在に連結された複数の板材を有し、左右の腕木に、前側の閉鎖位置と後ろ側の開放位置との間で前後方向にスライド自在に取り付けられ、閉鎖位置では、複数の板材が前後方向に並んだ、展開された状態で、演奏部を閉鎖するとともに、開放位置では、複数の板材が演奏部の後端部の上方において折り畳まれた状態で、演奏部を開放する鍵盤蓋と、を備えていることを特徴とする。
【００１１】
この鍵盤楽器の鍵盤蓋装置によれば、鍵盤蓋は、左右の腕木にスライド自在に取り付けられており、前側の閉鎖位置と後ろ側の開放位置との間で前後方向にスライドし、閉鎖位置では、複数の板材が前後方向に並んだ、展開された状態で、演奏部を閉鎖する。また、鍵盤蓋は、開放位置では、複数の板材が演奏部の後端部の上方において折り畳まれた状態で、演奏部を開放する。このように、鍵盤蓋は、開放位置では、演奏部の後端部の上方においてコンパクトに折り畳まれ、演奏部の後ろ側には入り込まない。したがって、鍵盤蓋の開放時に鍵盤蓋を収納するための空間を演奏部の後ろ側に確保する必要がなくなり、その分、左右の腕木の高さおよび奥行を小さくすることができる。その結果、鍵盤楽器のコンパクト化を図ることができる。また、鍵盤蓋を演奏部の後ろ側に案内するために腕木に設けられていた従来の後案内溝などを省略することができる。
【００１２】
また、演奏部の後ろ側の空間にスピーカ、電気回路や、電気回路から発生する熱を逃がすための放熱板などの構成部品が配置される場合には、その空間に鍵盤蓋が入り込まないことにより、これらの構成部品のレイアウトの自由度を高めることができる。また、演奏時に、放熱板が鍵盤蓋で覆われないので、電気回路で発生した熱が逃げやすくなり、放熱を効果的に行うことができる。
【００１３】
さらに、鍵盤蓋が複数の板材で構成されるので、板材の数を変えることによって、所望の奥行を有する鍵盤蓋を容易に得ることができる。また、蛇腹状の鍵盤蓋を有する従来の鍵盤蓋装置と異なり、鍵盤蓋を閉鎖する際に、鍵盤蓋を重力に抗して引き上げる必要がなくなり、そのときの操作力が軽減されることによって、鍵盤蓋を容易に開閉することができる。
【００１４】
請求項２に係る発明は、請求項１に記載の鍵盤楽器の鍵盤蓋装置において、複数の板材の各々の左右の側面には突起が設けられており、左右の腕木には、突起が係合し、突起を介して鍵盤蓋を案内するための案内溝が、前後方向に延びるように形成されていることを特徴とする。
【００１５】
この構成によれば、複数の板材の各々の突起が腕木の案内溝に係合しており、これらの突起および案内溝による案内によって、鍵盤蓋を円滑にスライドさせることができる。また、鍵盤蓋の折り畳み時および展開時、突起が案内溝の上下の縁に当接し、板材の上下方向の移動を阻止することによって、板材を円滑に回転させることができる。
【００１６】
請求項３に係る発明は、請求項２に記載の鍵盤楽器の鍵盤蓋装置において、複数の板材のうちの最も後ろ側に配置された最後位の板材は、鍵盤蓋を後方にスライドさせたときに、突起が案内溝の後縁に当接することによって、所定の角度、回転するように構成されていることを特徴とする。
【００１７】
この構成によれば、鍵盤蓋を後方にスライドさせたときに、最後位の板材は、その突起が案内溝の後縁に当接することによって、後方へのそれ以上のスライドが阻止されるとともに、所定の角度、回転する。このように、鍵盤蓋を開放時に後方にスライドさせたときに、案内溝の後縁がストッパの役割を果たすとともに、所定の角度、回転した最後位の板材の前側に、他の板材を順次、重ね合わせることによって、鍵盤蓋を折り畳むことができる。
【００１８】
請求項４に係る発明は、請求項３に記載の鍵盤楽器の鍵盤蓋装置において、最後位の板材は、基部と、基部の一端から垂直に延び、鍵盤蓋が閉鎖位置に位置するときに直立する直立部とから成る断面Ｌ形に形成されていることを特徴とする。
【００１９】
この構成によれば、鍵盤蓋が閉鎖位置に位置するときには、最後位の板材の直立部が直立しているので、この直立部によって、演奏部の後ろ側を目隠しし、鍵盤楽器の外観を良好に保つことができるとともに、楽器内部を保護することができる。
【００２０】
請求項５に係る発明は、請求項１ないし４のいずれかに記載の鍵盤楽器の鍵盤蓋装置において、複数の板材の各々は中空であることを特徴とする。
【００２１】
この構成によれば、各板材が軽量化するため、鍵盤蓋を開閉する際の操作力の軽減によって、鍵盤蓋の開閉をより容易に行うことができる。また、材料コストの削減によって、製造コストを削減することができる。
【発明を実施するための最良の形態】
【００２２】
以下、本発明の好ましい実施形態を、図面を参照しながら、詳細に説明する。図１および図２は、本発明の鍵盤蓋装置を含む電子ピアノを示している。両図に示すように、電子ピアノ１（鍵盤楽器）は、水平な棚板２上に固定された演奏部３と、この演奏部３を開閉するための鍵盤蓋装置４などを備えている。
【００２３】
演奏部３は、複数の鍵５からなる鍵盤６と、鍵５ごとに設けられた、複数のハンマー７、および鍵５の押鍵状態を検出するための複数の鍵スイッチ８（いずれも１つのみ図示）と、それらを支持するシャーシ９などを有している。この演奏部３は、シャーシ９に設けられた複数の連結バー１１を介して、棚板２の前部に固定されている。鍵スイッチ８は、スイッチ本体１２およびプリント基板１３で構成されている。プリント基板１３は、発音などを制御する制御装置（図示せず）に接続されている。
【００２４】
鍵盤蓋装置４は、演奏部３の両側に配置された左右の腕木１５，１５（一方のみ図示）と、両腕木１５，１５に前後方向（図１の左右方向）にスライド自在に取り付けられた鍵盤蓋１６で構成されている。
【００２５】
腕木１５は、前後および上下方向に延びる板状のものであり、後半部では一定の高さを有し、前半部では前方に向かって徐々に低くなっている。両腕木１５，１５の後半部の上端部間には、屋根１７が水平に取り付けられている。また、両腕木１５，１５の後端部間には、背板２３が取り付けられており、この背板２３、左右の腕木１５，１５、屋根１７および棚板２によって、演奏部３の後方に空間（以下「後方空間１０」という）が形成されている。この後方空間１０には、前述した制御装置や、電気回路などから発生する熱を放熱するための放熱板（図示せず）、スピーカ１４などが収容されており、それらは棚板２に取り付けられている。両腕木１５，１５の前端部間には、口棒２２が、鍵盤６の下側を覆うように取り付けられている。屋根１７の前面には、屋根前付１８が下方に若干突出するように取り付けられ、上面には、譜面台２１が取り付けられている。
【００２６】
各腕木１５の内側面には、鍵盤蓋１６をスライドさせるための案内溝２４が形成されている。図１および図２に示すように、この案内溝２４は、口棒２２の上端から上方に延びるとともに、腕木１５の上面に沿って、やや斜め後ろ上がりに、屋根前付１８の手前の頂点Ａまで直線状に延びている。さらに、案内溝２４は、頂点Ａからやや斜め後ろ下がりに直線状に、屋根前付１８と演奏部３の後端部との間まで延びている。
【００２７】
鍵盤蓋１６は、蛇腹状のものであり、互いに回動自在に連結された６つの平板材２６（板材）および最後位の１つのＬ板材２７（最後位の板材）を有している。平板材２６およびＬ板材２７は、金属材料、例えばアルミニウムの押出成形品で構成され、腕木１５，１５の間に左右方向に延びている。
【００２８】
図３に示すように、平板材２６は、一定の厚さを有しており、その左右の側面には、前後方向の一端面（同図の左端面）から所定の距離Ｌ１の位置に、突起２８が設けられている。この突起２８は、断面円形のピン状のものであり、打ち込みなどによって取り付けられている。平板材２６の前後方向の両端部には、連結用の溝３１，３１が互いに左右対称に形成されている。各溝３１は、平板材２６の全体にわたって左右方向に延びており、内側の方が溝幅の大きい横Ｔ字状の断面を有している。
【００２９】
図４に示すように、Ｌ板材２７は、基部３４と、基部３４の一端から垂直に延びる直立部３５から、断面Ｌ形に形成されている。基部３４の大きさおよび厚さは、平板材２６と同じである。また、平板材２６と同様、基部３４の左右の側面には、直立部３５と反対側の端面から所定の距離Ｌ１の位置に、突起２８が設けられるとともに、直立部３５と反対側の端部には、連結用の溝３１が形成されている。直立部３５の厚さは平板材２６と同じであり、長さは基部３４よりも若干短い。
【００３０】
６つの平板材２６とＬ板材２７は、連結材３２を介して、前後方向に並ぶように互いに連結されている。図１に示すように、これらの平板材２６およびＬ板材２７は、突起２８が設けられている側の端部同士が隣接するとともに、突起２８が設けられていない側の端部同士が隣接するように配置されている。連結材３２は、例えばゴムなどの弾性材料で構成されている。図５に示すように、連結材３２の各端部には、溝３１と相補的な横Ｔ字状の断面を有する係合部３６が設けられている。隣り合う各２つの平板材２６，２６は、それらの溝３１，３１に連結材３２の両係合部３６，３６が抜け止め状態で係合することによって、互いに連結されるとともに、連結材３２の弾性によって、互いに回動することが可能である。Ｌ板材２７と平板材２６もまた、連結材３２によって同様に連結されている。
【００３１】
以上のように構成された鍵盤蓋１６は、各平板材２６およびＬ板材２７の左右の突起２８，２８が両腕木１５，１５の案内溝２４，２４に係合した状態で、腕木１５，１５間に取り付けられている。これにより、鍵盤蓋１６は、突起２８を介して案内溝２４により案内されることによって、演奏部３を閉鎖する前側の閉鎖位置（図１参照）と開放する後ろ側の開放位置（図２参照）との間で、前後方向にスライド自在になっている。なお、図１の符号３３は、鍵盤蓋１６を開閉操作するために、最前の平板材２６の溝３１に取り付けられた断面Ｕ字状の取っ手３３である。
【００３２】
次に、鍵盤蓋装置４の鍵盤蓋１６の開閉動作を説明する。図１に示すように、鍵盤蓋１６が閉鎖位置にあるときには、最前の平板材２６が口棒２２に当接しており、６つの平板材２６およびＬ板材２７が、案内溝２４に沿って並んだ、展開された状態で、演奏部３を閉鎖している。具体的には、最前の平板材２６は鉛直に、他の５つの平板材２６およびＬ板材２７の基部３４はほぼ水平になっている。また、Ｌ板材２７の直立部３５は直立しており、その上端が屋根前付１８のすぐ下側に位置し、屋根前付１８の下側の開口を塞いでいる。この閉鎖状態から、取っ手３３をつかみ、最前の平板材２６を持ち上げながら後方に押すと、鍵盤蓋１６は、突起２８を介して案内溝２４により案内されることによって、後方にスライドする。この鍵盤蓋１６のスライドに伴い、Ｌ板材２７の突起２８が案内溝２４の後縁に当接することによって、Ｌ板材２７の後方へのそれ以上のスライドが阻止され、それにより、Ｌ板材２７は、突起２８を中心として、同図の反時計回りに回転する。
【００３３】
また、鍵盤蓋１６のスライドに伴い、６つの平板材２６は、突起２８を中心として、案内溝２４の縁によって移動が阻止されながら回転する。そして、スライドの終了時に、Ｌ板材２７は、約９０度、回転し、屋根前付１８の下側において、基部３４が直立するとともに、直立部３５が前方にほぼ突出した状態になる（図２参照）。また、６つの平板材２６は、後ろ側のものから順に、Ｌ板材２７の前方に突出した直立部３５の下側に折り畳まれ、直立した状態で重ね合わされる。以上により、演奏部３が開放され、鍵盤蓋１６は、図２に示す開放位置に位置する。この開放状態では、鍵盤蓋１６は、案内溝２４の頂点Ａよりも後ろ側の斜め後ろ下がり部分に位置しているため、安定した状態で折り畳まれている。
【００３４】
この開放状態から、取っ手３３を手前に引くと、上述した開放時と逆の動作により、平板材２６およびＬ板材２７が回転しながら前方にスライドすることによって、鍵盤蓋１６は、図１に示す閉鎖位置に復帰する。
【００３５】
以上のように、この電子ピアノ１の鍵盤蓋装置４によれば、蛇腹状の鍵盤蓋１６は、左右の腕木１５，１５に形成された案内溝２４に沿って前後方向にスライドし、閉鎖位置では、平板材２６およびＬ板材２７が案内溝２４に沿って並んだ、展開された状態で、演奏部３を閉鎖する。また、鍵盤蓋１６は、開放位置では、平板材２６およびＬ板材２７が屋根前付１８の下側で折り畳まれ、演奏部３を開放する。このように、鍵盤蓋１６が開放位置で演奏部３の後方空間１０に入り込まないので、その分、腕木１５の高さおよび奥行を小さくすることができ、それにより、電子ピアノ１をコンパクト化することができる。また、鍵盤蓋１６を演奏部３の後方に案内するために腕木に設けられていた従来の後案内溝などを省略することができる。
【００３６】
また、鍵盤蓋１６が後方空間１０に入り込まないので、後方空間１０におけるスピーカ１４や放熱板などのレイアウトの自由度を高めることができる。また、演奏時に、放熱板が鍵盤蓋１６で覆われないので、放熱板で発生した熱が逃げやすくなり、放熱を効果的に行うことができる。さらに、鍵盤蓋１６は、複数の平板材２６およびＬ板材２７で構成されるので、平板材２６の枚数を変えることによって、所望の奥行を有する鍵盤蓋を容易に得ることができる。また、蛇腹状の鍵盤蓋を有する従来の鍵盤蓋装置と異なり、鍵盤蓋１６を閉鎖する際に、鍵盤蓋１６を重力に抗して引き上げる必要がなくなり、そのときの操作力が軽減されることによって、鍵盤蓋１６を容易に開閉することができる。
【００３７】
また、鍵盤蓋１６の折り畳み時および展開時に、突起２８が案内溝２４の上下の縁に当接し、平板材２６およびＬ板材２７の上下方向の移動を阻止することによって、平板材２６およびＬ板材２７を円滑に回転させることができる。
【００３８】
また、鍵盤蓋１６を後方にスライドさせたときに、Ｌ板材２７は、その突起２８が案内溝２４の後縁に当接することによって、後方へのそれ以上のスライドが阻止されるとともに、反時計回りに約９０度、回転する。このように、鍵盤蓋１６を開放時に後方にスライドさせたときに、案内溝２４の後縁がストッパの役割を果たすとともに、回転したＬ板材２７の基部３４の前側に、６つの平板材２６を順次、重ね合わせることによって、鍵盤蓋１６を折り畳むことができる。
【００３９】
さらに、鍵盤蓋１６が閉鎖位置に位置するときには、Ｌ板材２７の直立部３５が直立し、屋根前付１８の下側の開口を塞ぐので、電子ピアノ１の外観を良好に保つことができるとともに、電子ピアノ１の内部を保護することができる。
【００４０】
また、平板材２６およびＬ板材２７がアルミニウムの押出成形品で構成されているので、閉鎖位置に位置する展開された鍵盤蓋１６に上方から荷重が加えられた場合でも、鍵盤蓋１６の変形や破損を防止することができる。
【００４１】
図６は、平板材の変形例を示している。なお、実施形態と同じ構成の部分については、同じ符号を付している。この平板材５１は、平板材２６と同様、アルミニウムの押出成形品で構成されており、前後の端部の溝３１，３１以外の部分に、左右方向に貫通する孔５２を有し、中空状に形成されている。平板材５１の左右の各側面には、ピン状の１つの突起５３が設けられている。また、図示しないが、Ｌ板材も同様に、中空状に形成されている。以上のように、平板材５１およびＬ板材が中空状であるので、それによる軽量化により、鍵盤蓋１６の操作力が軽減されることによって、鍵盤蓋１６の開閉をより容易に行えるとともに、材料コストの削減によって、製造コストを削減することができる。
【００４２】
図７は、平板材の別の変形例を示している。この平板材６１は、木質材で構成され、隣り合う平板材６１，６１の表面および裏面には、可撓性を有するシート６２が、熱着や接着によって、それぞれ貼り付けられている。また、シート６２，６２は、平板材６１，６１の連結部分で互いに接着されており、シート６２の可撓性によって、平板材６１，６１が互いに回動自在になっている。また、平板材６１の左右の側面には、平板材２６の突起２８と同じ位置に、ピン状の突起（図示せず）が、例えば、埋め込みおよび接着によって取り付けられている。また、図示しないが、Ｌ板材も同様に構成されている。以上のように、複数の平板材６１およびＬ板材を、それらの表裏面に貼り付けたシート６２，６２で回動自在に連結することによって、蛇腹状の鍵盤蓋を構成することができる。
【００４３】
なお、本発明は、説明した実施形態に限定されることなく、種々の態様で実施することができる。例えば、本実施形態では、平板材２６などをアルミニウムの押出成形品や木質材で構成したが、これに限らず、他の金属、合成樹脂や、木質材と合成樹脂との複合材料で構成してもよい。特に、合成樹脂として発泡合成樹脂の押出成形品を用いた場合には、軽量で高い硬度の鍵盤蓋を得ることができる。また、本発明を、例示した電子ピアノ以外の鍵盤楽器、例えば電子オルガンやアコースティックピアノなどに適用してもよい。その他、本発明の趣旨の範囲内で、細部の構成を適宜、変更することが可能である。
【図面の簡単な説明】
【００４４】
【図１】本発明の鍵盤蓋装置を含む電子ピアノを、鍵盤蓋が閉鎖位置にある状態で示す側面図である。
【図２】図１の電子ピアノを、鍵盤蓋が開放位置にある状態で示す側面図である。
【図３】平板材の側面図である。
【図４】Ｌ板材の側面図である。
【図５】２つの平板材の連結部分を示す部分拡大側面図である。
【図６】平板材の変形例を示す側面図である。
【図７】平板材の他の変形例を、２つの平板材を連結した状態で示す部分拡大側面図である。
【符号の説明】
【００４５】
１    電子ピアノ（鍵盤楽器）
３    演奏部
４    鍵盤蓋装置
６    鍵盤
１５    腕木
１６    鍵盤蓋
２４    案内溝
２６    平板材（板材）
２７    Ｌ板材（最後位の板材）
２８    突起
３４    基部
３５    直立部
５１    平板材（板材）
５３    突起
６１    平板材（板材）
【図１】
2007133249.tif 000003
【図２】
2007133249.tif 000004
【図３】
2007133249.tif 000005
【図４】
2007133249.tif 000006
【図５】
2007133249.tif 000007
【図６】
2007133249.tif 000008
【図７】
2007133249.tif 000009